(57)【要約】      （修正有）【課題】  装置本体からのカード収納ユニットの引き出しを確実にロックでき、必要に応じてこのロックを解除できる、高いセキュリティ性を備えたカード処理装置を提供する。【解決手段】  収納ユニット２６を搭載し、装置本体に対して引き出し可能に構成された収納部レーン３３を有し、この収納部レーン側に設けられ、装置本体側と係合する係合部材４１により、収納部レーンの装置本体からの引き出しを係止する。この係合部材の装置本体からの係合解除動作はロック機構３７によりロックされる。このロック機構は、通電に伴い作動体５４を変位させるソレノイド４８を有し、ソレノイドへの非通電時にロックを行なうと共に、ソレノイドへの通電に伴う作動体の変位によりロックを解除する。さらに、ロック機構は、特定人にのみ知らされた位置に設けられた隠しレバー５１を外部から操作することにより、ソレノイドへの通電を要することなくロックを解除できる。【選択図】図４
2006189957.tif 000002
【特許請求の範囲】
【請求項１】
カードを所定方向に搬送させ、この搬送途中でカードの種類を識別し、このカードをその種類別に該当する収納ユニットに収納させるカード処理装置であって、
前記収納ユニットを搭載し、装置本体に対して引き出し可能に構成された収納部レーンと、
この収納部レーン側に設けられ、前記装置本体側と係合して収納部レーンの装置本体からの引き出しを係止する係合部材と、
通電に伴い作動体を変位させるソレノイドを有し、このソレノイドへの非通電時における前記作動体との係合により、前記係合部材の装置本体からの係合解除動作をロックし、前記ソレノイドへの通電に伴う前記作動体の変位により前記ロックを解除するロック機構と、
特定人にのみ知らされた位置に設けられ、外部からの操作力により、前記作動体を変位させ、前記ロックを解除する隠しレバーと
を備えたことを特徴とするカード処理装置。
【請求項２】
装置本体は、外郭を成す筐体内に引き出し可能に構成されており、装置本体が筐体から引き出された状態にて、ソレノイドへの通電を可能としたことを特徴とする請求項１に記載のカード処理装置。
【請求項３】
装置本体におけるカードの搬送を含むカード取り扱い中はソレノイドへ通電できないように回路構成したことを特徴とする請求項１または請求項２に記載のカード処理装置。
【請求項４】
装置本体のカード搬送部から各カード収納ユニットへの接続部にカードが残留していることを残留検知センサが検知すると、ソレノイドへ通電できないように回路構成したことを特徴とする請求項１乃至請求項３のいずれかに記載のカード処理装置。
【発明の詳細な説明】
【技術分野】
【０００１】
本発明は、カードを所定方向に搬送させ、この搬送途中でカードの種類を識別し、各カードを前記種類毎に設けた複数の収納ユニットの該当するものに収納させるカード処理装置に関する。
【背景技術】
【０００２】
近年、磁気情報やＩＣチップ情報などを内蔵したプラスチック製のカードが、個人情報媒体や経済価値媒体として多用されている。この種のカードは国際標準化されており、一般には厚さ０．７６ｍｍの塩ビカードが用いられている。このようなカードは、通常の外力では曲がり難い剛媒体と考えられる。したがって、カード処理機は、カードを変形させることなく直線に搬送するようにしている。
【０００３】
ここで、ＡＴＭのカードリーダのように、カードに対して、単純に磁気情報をリード・ライトする程度の装置であれば、その搬送を直線としてもその距離は長くならない（例えば、特許文献１参照）。
【０００４】
しかしながら、カード発行機のように、カードに対し、１枚ずつの繰り出し、印刷、エンボス、情報リード・ライト、分類集積など、複数の機能を施さなければならない場合、カードを直線搬送すると、装置の長さが数メートルから１０数メートル程度と長大になってしまう。このように長大となっても、業務用の処理システムであれば、長大なスペースさえ確保できれば実現可能である。しかし、顧客が使用する対面型の装置では、装置の大きさや奥行きに自ずから制約があり、直線搬送だけでは処理ができなかった。
【０００５】
そこで、直線搬送だけでなく、カードをスイッチバック機構等の手段によって方向変換して屈曲搬送を行うことにより、カードに変形を生じることなく、狭いスペースに長い搬送路を収容することが本件出願人により提案されている。
【特許文献１】特開平１０−４０４４１号公報
【発明の開示】
【発明が解決しようとする課題】
【０００６】
ところで、カードは前述のように各種分野で用いられているが、近年、同一サイズの媒体カードにそれぞれ異なる貴金属の埋め込みを施したり、絵画デザインを表記してそれら貴金属や絵画デザインの価値情報を記録して取り扱うシステムが考えられている。例えば、顧客が保有する各種価値情報を記録したカードを多数受入れ、このカードを一枚ずつ搬送して額面情報を読取り、この読み取り結果に対する顧客の確認を得てからカードを額面情報毎に分別して該当する収納ユニットに収納するシステムが考えられている。
【０００７】
このようにしてカードを収納した収納ユニットが満杯になると、収納ユニットを装置本体から引き出し、収納されたカードを回収する操作が行なわれる。また、カードを発行する場合は、収納ユニットにカードを充填し、このカードを収納ユニットから反対に装置本体側に繰り出すことが行なわれる。このような場合も、収納ユニットを装置本体から外部に引き出して作業を行なう。
【０００８】
収納ユニットに収納されるカードは、前述のように額面価値を付与して金券のように取り扱うものであるため、盗難防止等、高いセキュリティ性を要する。すなわち、装置本体からの収納ユニットの引き出し操作は、誰でもが安易に引き出せる構造ではなく、所定の条件が成立した場合に可能となるように構成する必要がある。このため、装置本体からの収納ユニットの引き出しを確実にロックでき、しかも条件成立により上記ロックを解除できるロック機構が必要となる。
【０００９】
本発明の目的は、装置本体からのカード収納ユニットの引き出しを確実にロックでき、必要に応じてこのロックを電気的に解除でき、さらに停電時など電気的な解除が不能の場合は、特定者による手動解除を可能としたロック機構を有する、高いセキュリティ性を備えたカード処理装置を提供することにある。
【課題を解決するための手段】
【００１０】
本発明のカード処理装置は、カードを所定方向に搬送させ、この搬送途中でカードの種類を識別し、このカードをその種類別に該当する収納ユニットに収納させるカード処理装置であって、前記収納ユニットを搭載し、装置本体に対して引き出し可能に構成された収納部レーンと、この収納部レーン側に設けられ、前記装置本体側と係合して収納部レーンの装置本体からの引き出しを係止する係合部材と、通電に伴い作動体を変位させるソレノイドを有し、このソレノイドへの非通電時における作動体との係合により、前記係合部材の装置本体からの係合解除動作をロックし、前記ソレノイドへの通電に伴う前記作動体の変位により前記ロックを解除するロック機構と、特定人にのみ知らされた位置に設けられ、外部からの操作力により前記作動体を変位させ、前記ロックを解除する隠しレバーとを備えたことを特徴とする。
【００１１】
また、本発明では、装置本体は、外郭を成す筐体内に引き出し可能に構成されており、装置本体が筐体から引き出された状態にて、ソレノイドへの通電を可能としてもよい。
【００１２】
また、本発明では、装置本体におけるカードの搬送を含むカード取り扱い中はソレノイドへ通電できないように回路構成するとよい。
【００１３】
さらに、本発明では、装置本体のカード搬送部から各カード収納ユニットへの接続部にカードが残留していることを残留検知センサが検知すると、ソレノイドへ通電できないように回路構成してもよい。
【発明の効果】
【００１４】
本発明によれば、装置本体からのカード収納ユニットの引き出しを確実にロックできるので高いセキュリティ性を得ることができる。また、必要に応じてこのロックを電気的に解除できるので、装置の自動化に容易に対処できる。さらに、停電時など電気的なロック解除が不能となっても、特定者により上記ロックを手動解除できるので、セキュリティ性を維持しながら、ロック解除不能による業務の停滞を防止して効率的な運用が可能となる。
【発明を実施するための最良の形態】
【００１５】
以下、本発明によるカード処理装置の一実施の形態について、図面を用いて詳細に説明する。
【００１６】
図１は、この実施の形態の全体構成を示している。図１において、１は装置の外郭をなす筐体で、その内部には、それぞれ破線で囲まれた第１処理部２と第２処理部３とが構成されている。
【００１７】
第１処理部２は、入口部４、第１搬送手段７、第１情報読取手段８、第１貯留手段１０により概略構成される。入口部４は筐体１の前面（図示左側面）に配置され、常時閉の扉４ａを有する。そして、この扉４ａの開放時、所定の情報を保持した複数枚のカードＰを積層状態で受け入れる。受け入れられたカードＰは、バックアップ板５により下方に押し付けられ、ピッカー６により、１枚ずつ後方の第１搬送手段７へ繰り出される。
【００１８】
第１搬送手段７は、上下一対のローラ７ａを複数対、直線状に配置したもので、これら一対のローラ７ａの回転により、ピッカー６によって１枚ずつ繰り出されたカードＰを、装置の後方（右方）に向ってほぼ水平方向に直線搬送する。また、この第１搬送手段７には第１情報読取手段（例えば、磁気カードリーダ）８が設けられており、内蔵された磁気ヘッド９により、搬送途中のカードＰから保持情報を読み取る。
【００１９】
第１貯留手段１０は、第１搬送手段７の搬送終端部（図示右端部）に設けられ、搬送されてきたカードＰを積層貯留する。この第１貯留手段１０は、積層貯留されたカードを一括して次段に移送する移送手段（以下、スイーパ機構と呼ぶ）１１を備えている。
【００２０】
前記第１搬送手段７は、カードＰの搬送方向を逆方向にする逆搬送機能を有する。また、第１貯留手段１０は積層貯留されたカードを１枚ずつ逆搬送状態の第１搬送手段７に繰り出す返却手段１２を有する。
【００２１】
また、この第１搬送手段７の前方寄り（図示左方寄り）の部分には、逆方向に搬送されたカードを搬送路上から取り出すリジェクト手段１３が設けられている。このリジェクト手段１３により搬送路上から取り出されたカードＰは、返却搬送路１４を通って、筐体１の前面に設けられた返却口１５に送られる。
【００２２】
第２処理部３は、第２貯留手段１６、第２搬送手段１８、第２情報読取手段２１、スイッチバック機構２２、第３搬送手段２４、複数のカード収納ユニット２６を有する。
【００２３】
第２貯留手段１６は、前記第１貯留手段１０に隣設されており、この第１貯留手段１０から、スイーパ機構１１により一括移送されてくる積層状態のカードＰを受け入れ、このカードＰをピッカー１７により１枚ずつ繰り出す。
【００２４】
第２搬送手段１８は、第２貯留手段１６から、筐体１の前方（図示左方）に向って、所定の傾斜角度を保って下向きに形成された直線上に、上下一対のローラを複数対配置して構成される。この第２搬送手段１８は、各一対のローラの回転により、第２貯留手段１６から繰り出されたカードＰを前方に向って所定の傾斜角度で直線搬送する。
【００２５】
また、この第２搬送手段１８にも、磁気カードリーダなどによる第２情報読取手段２１が設けられており、内蔵された磁気ヘッドにより、搬送途中のカードＰから保持情報を読み取る。さらに、この第２搬送手段１８は、カードの搬送方向を逆方向にする逆搬送機能を有し、かつ、逆方向に搬送されたカードＰを搬送路上から取り出すリジェクト手段１９を有する。このジェクト手段１９でリジェクトされたカードＰはリジェクト箱２０内に貯留される。
【００２６】
スイッチバック機構２２は、第２搬送手段１８の搬送終端部に設けられた回動アーム２３を有し、第２搬送手段１８によって搬送されてきたカードＰの上面を叩き、このカードＰを第３搬送手段２４上に載置させる。この第３搬送手段２４は、筐体１内の前面側（図示左方）から後方(図示右方)に向うほぼ水平な直線上に、上下一対のローラを複数対配置している。そして、スイッチバック機構２２の回動アーム２３により載置され、搬送方向が変向されたカードＰを、後方に向ってほぼ水平に搬送する。
【００２７】
カード収納ユニット２６は第３搬送手段２４に沿って複数個（図の例では５個）設けられ、この第３搬送手段２４により搬送されてくるカードＰを、第２の情報読取手段２１による読取結果に基づいて対応するゲート板２５により搬送路から取り出し、積層集積する。すなわち、第３搬送手段２４には複数のカード収納ユニット２６に対応してそれぞれゲート板２５が設けられているので、上述のように、第２の情報読取手段２１による読取結果に基づいて対応するゲート板２５を開くことにより、カードをその種類毎に分別して対応するカード収納ユニット２６に収納する。
【００２８】
ここで、上述した第１処理部２及び第２処理部３からなる装置本体３１は、図２で示すように、外郭を成す筐体１内に、その後面部に設けられた開口３２から引き出し可能な状態で収納されている。また、カードの収納ユニット２６は、カードの種類（ここでは額面５００，１０００，２０００，５０００，１００００円の５種類のカードとする）に対応した数（図の例では５個）設けられ、収納ユニット５個で１組の収納部レーン（以下、単にレーンと呼ぶ）３３を構成している。このレーン３３は、図１で示したように、装置本体３１側の第３の搬送手段２４の下側に位置し、ゲート板２５の開動作により搬送路から取り出されたカードを、対応する収納ユニット２６内に収納できる位置関係で配置される。
【００２９】
これら複数の収納ユニット２６を搭載したレーン３３は、装置本体３１に対して、図３で示すように引き出し可能に構成されている。図の例では、５個の収納ユニット２６を搭載したレーン３３を２個並設し、それぞれ装置本体３１に対して個別に引き出し可能としている。この場合、カード収納時において、一方のレーン３３の収納ユニットが満杯になった場合、図１で示したスイッチバック機構２２部分に構成される図示しないカード分配機構により、他方のレーンに対応した第３の搬送手段により、他方のレーン３３のカード収納ユニット２６にカードを収納させる。
【００３０】
上記レーン３３は、図３で示すように、装置本体３１との間に構成された引き出し機構３５によって支持されたユニット保持枠３６を有し、この保持枠３６内に所定数の収納ユニット２６を一列に配列している。この保持枠３６の外側の端面板３６ａには、図４（ａ）（ｂ）で示すように、レーン３３の引き出し動作をロックするロック機構３７が設けられている。
【００３１】
図４（ａ）は端面板３６ａの正面図であり、図４（ｂ）は端面板３６ａの側面図である。これらの図において、４１は係合部材（以下、フックと呼ぶ）で、装置本体３１の床面３１ａに形成された開口と係合して、装置本体３１からのレーン３３の引き出しを係止する。前記ロック機構３７は、このフック４１の装置本体床面３１ａからの係合と解除をするものである。
【００３２】
フック４１は、端面板３６ａの裏面に沿って縦方向に配置されたリンク４２，４３を介して、上部に配置された解除レバー４４と連結している。解除レバー４４は逆Ｌ字形をなし、支点ピン４５により端面板３６ａの裏面に回動可能に支持されている。この解除レバー４４の、板面に対し直角に折り曲げられた操作部４４ａは、端面板３６ａに形成された開口４６を通って、端面板３６ａの表面側に突出している。そして、外部からこの解除レバー４４の操作部４４ａを図５（ａ）で示すように押し下げ、解除レバー４４を、支点ピン４４を中心に図示右回りに回動させると、リンク４３，４２を介してフック４１が引き上げられ、装置本体床面３１ａとの係合が解除される。
【００３３】
ロック機構３７の解除レバー４４は、回動によるフック４１の解除動作をロックするもので、端面板３６ａの表面側に膨出して設けられたケース４７内に構成される。４８はソレノイドで、通電に伴う電磁力により、リンク５１，５２，５３からなる作動体５４を図５（ｂ）で示すように変位させ、解除レバー４４に対する回動ロック状態を解除させる。すなわち、リンク５２は下部中間部が支点ピン５５により回動可能に支持されており、ソレノイド４８への通電により、リンク５２の下端に連結するリンク５１は図示左方向に移動し、上端に連結するリンク５３は図示右方に移動する。リンク５３には、解除レバー４４と係合して、その右回りの回動を阻止するピン５６が設けられている。このピン５６は、リンク５３の上記右方への移動により、図５（ｂ）で示すように解除レバー４４との係合が解除され、解除レバー４４の回動を許容し、フック４１の装置本体床面３１ａからの離脱を許容する。
【００３４】
このようにロック機構３７は、ソレノイド４８に通電することにより作動体５４を変位させ、解除レバー４４を動作可能として、フック４１の装置本体床面３１ａからの離脱を許容する。一方、ソレノイド４８への非通電時には、作動体５４のピン５６が解除レバー４４と係合することにより、フック４１の装置本体床面３１ａからの係合解除動作がロックされる。このロック状態はソレノイド４８に通電することにより、前述のように、作動体５４が変位し、解除される。
【００３５】
ここで、前記リンク５１は、停電時などソレノイド４８への通電が不能の場合、特定人より強制的にロックを解除させる隠しレバーとして機能する。すなわち、この隠しレバー５１は、外部からは目視できないケース４７内、すなわち、予め設定された特定人にのみ知らされた位置に設けられている。そして、ケース４７に設けられた図示しない操作口から操作棒などを差し込んで外部から操作力を加えることにより、ソレノイド４８への通電を要することなく作動体５４を変位させ、フック４１の装置本体床面３１ａからの係合解除動作を許容する。
【００３６】
次に、全体的な動作を説明する。複数種類のカード、例えば、５００，１０００，２０００，５０００，１００００円の５種の額面のカードをランダムに多数有する使用者は、この多数のカードＰを、入口部４に投入する。例えば、この入口部４は、積層状態のカードＰを５０枚一括受け入れできるものとする。
【００３７】
使用者は、筐体前面の図示しない操作部を操作して入口部４の扉を開け、積層状態のカードＰを一括投入する。一括投入後、バックアップ板５が下降し、積層されたカードＰの上面を押圧する。このとき、図示しないセンサによりバックアップ板５の高さを検出し、積層されたカードの枚数が５０枚以下か否かを判定する。その結果、５０枚以上であれば、筐体表面の図示しない表示部に、枚数を減らして再投入するようにガイダンスを行う。また、投入されたカードの不ぞろいや、長すぎなどの検知手段も設け、これらが検知動作した場合も、カードを再投入するように促すガイダンスを表示し、以後の繰り出しは行わない。
【００３８】
上記条件をクリアした場合は、ピッカー６が作動し、積層状態のカードを下端に位置するものから１枚ずつ第１搬送手段７に繰り出す。第１搬送手段７は、図示しないパルスモータによって上下一対のローラ７ａを回転駆動するもので、入口部４から繰り出されたカードＰを、装置後方に向って伸延した水平搬送路上にて往復搬送可能である。この第１搬送手段７は、通常は正転搬送を行い、搬送途中に設けられたカードリーダ８により、カードＰに保持された情報を読み出す。読み出された情報が適正であったカードＰはそのまま搬送され、第１貯留手段１０内に集積される。
【００３９】
この読取結果が、読取不能や不適正情報であった場合は、第１搬送手段７のパルスモータを一端停止した後、逆転させ、逆搬送状態とする。さらに、リジェクト手段１３を動作させ、ゲート板を開く（逆搬送方向に対し起立させる）ことにより、逆搬送されてくるカードを搬送路上から取り出し、返却搬送路１４を通って返却口１５に返却させる。
【００４０】
このリジェクトは、カードリーダ８による読取結果だけでなく、第１搬送手段７の搬送路に設けた各種センサにより、カードの不適正状態を検出した場合も、同様の動作によってリジェクトする。例えば、カードの２枚取りや薄すぎ（テレホンカード相当）は厚さセンサにより検出し、カードの長すぎ／短すぎは長さセンサで検出する。これらの不適正カードが検出された場合もリジェクトを行う。
【００４１】
このようにして入口部４に投入されたカードＰを順次繰り出し、入口部４にカードがなくなると、図示しない残留検知センサが残留無しを検知し、ピッカー６による繰り出しを停止する。
【００４２】
前述のように、適正なカードＰはそのまま搬送され、第１貯留手段１０内に集積される。第１貯留手段１０の集積高さは固定とする。第１貯留手段１０へのカード集積が終了すると、集積されたカードについて、カードリーダ８が読み取った情報の内容を、筐体１前面の図示しない表示部に表示し、利用者の確認を得る。すなわち、読み取った額面金額の総額や、各種別の枚数などを表示する。この結果、例えば、利用者が意図した額面総額と読み取られた額面総額とが異なる場合など、利用者は「確認ＮＯ」のボタンを押下する。
【００４３】
「確認ＮＯ」のボタンが押下されると、第１貯留手段１０に集積されたすべてのカードＰを返却口１５に返却する。すなわち、第１搬送手段７を逆搬送状態にし、リジェクト手段１３のゲート板を開く。また、第１貯留手段１０の底面板を兼ねる上向きのバックアップ板を上昇させ、返却手段１２により、積層上端部からカードＰを１枚ずつ、逆搬送状態の第１搬送手段７に繰り出す。このため、カードＰは開状態のゲート板により搬送路から取り出され、返却搬送路１４を通って返却口１５に返却される。このとき、カードリーダ８により、通過したカードの情報や枚数を読み取り、記憶しておく。
【００４４】
これに対し、利用者が「確認ＯＫ」のボタンを押下するとスイーパ機構１１が動作し、第１貯留手段１０に集積されたカードＰを一括して図示右方に押し出す。このため、積層状態のカードＰは、隣接した第２貯留手段１６内に一括して移送され、この第２貯留手段１６内に約１５度傾斜した状態で集積される。
【００４５】
この動作が終了し、第１貯留手段１０内にカードがないことが図示しない残留センサで検出されると、一連のカード受け入れ処理が終わり、次の利用者がカードを入口部４に投入できるようになる。
【００４６】
一方、第２処理部３の第２貯留手段１６内に集積されたカードは、ピッカー１７により１枚ずつ第２搬送手段１８に繰り出される。繰り出されたカードは、第２搬送手段１８により前方に向って斜め下方に搬送される。また、搬送途中においてカードリーダ２１により、保持された情報が読み出される。読み出された情報が適正であれば、さらに確認のための情報書込みを行ったり、情報を消去したりしながら、そのまま順方向に搬送される。
【００４７】
これに対し、読み取った情報が不適正であったり、読取不能の場合は、第２搬送手段１８による搬送を一旦停止後、逆搬送状態にし、リジェクト手段１９を動作させてカードをリジェクト箱２０内にリジェクトする。このリジェクト動作後、次のカードが第２貯留手段１６から繰り出される。
【００４８】
順方向に搬送された適正なカードは、スイッチバック部２２に進入し、その先端がストッパに当接するとアーム２３が下向きに回動し、カードの上面を叩いて第３搬送手段２４の開始端上に押下する。このため、カードは第３搬送手段２４により、今度は後方に向かって水平方向に搬送される。
【００４９】
第３搬送手段２４に対しては、その搬送方向に沿って複数のカード収納ユニット２６が設けられており、かつ、これらカード収納ユニット２６に対応してそれぞれゲート板２５が設けられているので、各カード収納ユニット２６には、該当する種類のカードが選別されて収納される。すなわち、搬送されてくるカードの種類は、カードリーダ２１により読み取られているので、そのカードの種類に該当するカード収納ユニット２６のゲート板２５を開いておく。このため、対応するカードは、この開いたゲート板２５により搬送路上から図示斜め右下方に取り出され、カード収納ユニット２６内に集積される。
【００５０】
このように、種類の異なるカードを多数ランダムに投入すると、カードに保持されている情報からカードの種類を判別し、種類毎に選別して該当するカード収納ユニットに集積することができる。
【００５１】
このようなカードの取り扱い中に、カードの詰まり等の所謂ジャムが発生した場合は、図２で示すように、装置本体３１を筐体１から引き出し、外部の広い空間にて詰まったカードを取り除くなどのジャム解消操作を行なう。
【００５２】
また、カード収納時に、収納ユニット２６に集積したカードを回収する場合は、図３で示すように、装置本体３１から、レーン３３を引き出し、外部においてレーン３３からカード収納ユニット２６を図示のように取り外して回収する。また、カード発行を行なうため、カードを集積した収納ユニット２６を装填するときは、装置本体３１から引き出したレーン３６に、カードを集積した収納ユニット２６を搭載すればよい。
【００５３】
ここで、レーン３３の引き出しに当っては、収納ユニット２６に集積されるカードが額面金額を付与されて金券として取り扱われるものであるため、セキュリティ上、権限を有する特定者の操作により引き出し可能とし、通常はロックをかけて引き出せないようにしている。すなわち、図４で示したように、通常の収納状態において、カード収納ユニット２６を搭載したレーン３３は、端面板３６ａの下部においてフック４１が装置本体床面３６ａに係合しており、装置本体３１から引き出すことができない。このフック４１と装置本体床面３６ａとの係合を解除して、レーン３３を引き出し可能とするためには、図５（ｃ）で示したロック状態にあるロック機構３７のソレノイド４８に通電し、ロック状態を電気的に解除する。
【００５４】
すなわち、ソレノイド４８に通電することにより、作動体５４を図５（ｂ）のように変位させ、ピン５６と解除レバー４４との係合を解除する。この後、作動レバー４４の操作部４４ａを押し下げ、作動レバー４４を図示右回りに回動させることにより、リンク４３，４２を介してフック４１を引き上げ、装置本体床面３１ａとの係合を解除する。
【００５５】
この解除操作は、筐体１の前面に設けた操作部により、権限を有する特定者が解除指令を入力することにより、ソレノイド４８に通電してロック状態を解除する。なお、カードの収納や発行などのカード取引動作中（カードの取り扱い中）は、カード収納ユニット２６を搭載したレーン３３は引き出せないので、誤って解除指令を入力してもソレノイド４８に通電しないように回路構成する。この場合、操作部の表示画面に、「取引中止」の表示を行い、装置本体の取引動作を停止させてからソレノイド４８に通電して、ロックを解除するように構成してもよい。
【００５６】
同じく、取引中に引き出しのためのロック解除指令が入力された場合、図３で示すように、カード収納ユニット２６を搭載したレーン３３が複数ある場合は、引き出し対象のレーン以外の収納ユニットを使用することにより、「取引停止」とせずに動作を縮退させて、取引可能な状態でロックを解除してもよい。
【００５７】
ジャム等のエラーにより、装置本体３１のカード搬送部から各カード収納ユニット２６への接続部にカードが残留していることを残留検知センサが検知した場合も、ソレノイド４８へ通電できないように回路構成する。この結果、レーン３３の引き出し作業によりカードが装置本体３１の搬送路から落下したり破損したりすることを防止できる。この場合は、前述のように、装置本体３１を筐体１から引き出し、残留カードを除去した後はロック解除を可能とし、レーン３３の引き出しを可能とする。
【００５８】
また、ジャム処理においては、残留カードの有無にかかわらず、レーン３３が引き出せないようにし、装置本体３１が筐体１から引き出されたことを条件に、レーン引き出しに対するロックを解除するようにしてもよい。もちろん、カード搬送部から各カード収納ユニット２６への接続部にカードが残留している場合は、ロック解除は行なわない。
【００５９】
さらに、停電時など、ソレノイド４８に通電してロックを解除することができない場合は、特定人のみに知らされた位置に設けられた隠しレバー５１を操作することにより、強制的にロック状態を解除することができる。この結果、装置が立ち上がっていない場合や、上述した停電時等、電源が供給されていない非常時であってもレーンを引き出すことができる。
【００６０】
なお、上記実施の形態は、装置本体３１に対する収納ユニット２６のレーン３３の引き出しに対するロック機構を説明しているが、筐体１に対する装置本体３１の引き出しに対するロック機構として同様の構成を採用してもよい。また、上記実施の形態では、ロック機構３７として、解除レバー４４の動作を、ソレノイド４８のプランジャにより作動体５４を変位させて制御しているが、解除レバーを設けずにソレノイドのプランジャ事態でロック機構を駆動するようにしてもよい。
【図面の簡単な説明】
【００６１】
【図１】本発明によるカード受け入れ収納装置の一実施の形態の内部構成を示す側面図である。
【図２】同上一実施の形態における筐体と装置本体との関係を示す斜視図である。
【図３】同上一実施の形態における装置本体と収納ユニットのレーンとの関係を示す斜視図である。
【図４】同上一実施の形態におけるレーンの端面板部分を示しており、（ａ）は正面図、（ｂ）は側面図である。
【図５】同上一実施の形態におけるロック機構部分を示しており（ａ）はロック解除後の状態を示し、（ｂ）ロック亜季所動作時の常態を示し、（ｃ）はロック状態を示している。
【符号の説明】
【００６２】
１    筐体
２６    カードの収納ユニット
３１    装置本体
３３    収納部レーン
３７    ロック機構
４１    係合部材（フック）
４８    ソレノイド
５１    隠しレバー
５４    作動体
【図１】
2006189957.tif 000003
【図２】
2006189957.tif 000004
【図３】
2006189957.tif 000005
【図４】
2006189957.tif 000006
【図５】
2006189957.tif 000007